(57)【特許請求の範囲】
【請求項１】
所定コンテンツデータのうち再生の基準となる第１データを第１の圧縮方式で圧縮する第１圧縮手段と、前記コンテンツデータのうち少なくとも、前記第１データを除く第２データを、前記第１の圧縮方式よりも圧縮効率の高い第２の圧縮方式で圧縮する第２圧縮手段と、前記圧縮された第１データのうち少なくとも一部を暗号化する暗号手段と、前記暗号化された第１データ及び前記圧縮された第２データの夫々を受信装置に配信する配信手段とを備える配信装置より配信される前記コンテンツデータを受信する受信装置であって、
前記配信される、前記暗号化された第１データ及び前記圧縮された第２データの夫々を受信する受信手段と、
前記圧縮された第２データの圧縮方式を前記第２の圧縮方式から前記第１の圧縮方式へ変換する変換手段と、
前記暗号化された第１データと前記圧縮方式が変換された第２データを合成して、前記コンテンツデータを生成する生成手段と
を備えることを特徴とする受信装置。
【請求項２】
前記生成されたコンテンツデータを再生する再生手段を更に備えることを特徴とする請求項１に記載の受信装置。
【請求項３】
前記生成されたコンテンツデータを記録媒体に記録する記録手段を更に備えることを特徴とする請求項１に記載の受信装置。
【請求項４】
前記生成されたコンテンツデータに基づいて、前記記録媒体の記録フォーマットに準拠したイメージファイルデータを生成するイメージ手段を更に備え、
前記記録手段は、前記コンテンツデータとして、前記イメージファイルデータを前記記録媒体に記録することを特徴とする請求項３に記載の受信装置。
【請求項５】
所定コンテンツデータのうち再生の基準となる第１データを第１の圧縮方式で圧縮する第１圧縮手段と、前記コンテンツデータのうち少なくとも、前記第１データを除く第２データを、前記第１の圧縮方式よりも圧縮効率の高い第２の圧縮方式で圧縮する第２圧縮手段と、前記圧縮された第１データのうち少なくとも一部を暗号化する暗号手段と、前記暗号化された第１データ及び前記圧縮された第２データの夫々を受信装置に配信する配信手段とを備える配信装置より配信される前記コンテンツデータを受信する受信方法であって、
前記配信される、前記暗号化された第１データ及び前記圧縮された第２データの夫々を受信する受信工程と、
前記圧縮された第２データの圧縮方式を前記第２の圧縮方式から前記第１の圧縮方式へ変換する変換工程と、
前記暗号化された第１データと前記圧縮方式が変換された第２データを合成して、前記コンテンツデータを生成する生成工程と
を備えることを特徴とする受信方法。
【請求項６】
所定のコンテンツデータを配信する配信装置と、前記配信されるコンテンツデータを受信する少なくとも１つの受信装置と、を備える配信システムであって、
前記配信装置は、
前記所定のコンテンツデータのうち再生の基準となる第１データを第１の圧縮方式で圧縮する第１圧縮手段と、
前記コンテンツデータのうち少なくとも前記第１データを除く第２データを、前記第１の圧縮方式よりも圧縮効率の高い第２の圧縮方式で圧縮する第２圧縮手段と、
前記圧縮された第１データのうち少なくとも一部を暗号化する暗号手段と、
前記暗号化された第１データ及び前記圧縮された第２データの夫々を受信装置に配信する配信手段と
を備えており、
前記受信装置は、
前記配信される、前記暗号化された第１データ及び前記圧縮された第２データの夫々を受信する受信手段と、
前記圧縮された第２データの圧縮方式を前記第２の圧縮方式から前記第１の圧縮方式へ変換する変換手段と、
前記暗号化された第１データと前記圧縮方式が変換された第２データを合成して、前記コンテンツデータを生成する生成手段と
を備えることを特徴とする配信システム
【請求項７】
請求項１に記載の受信装置に備えられたコンピュータを制御する受信制御用のコンピュータプログラムであって、該コンピュータを、前記受信手段、前記変換手段及び前記生成手段として機能させることを特徴とするコンピュータプログラム。
【発明の詳細な説明】
【技術分野】
【０００１】
本発明は、例えば映画や音楽等のコンテンツデータを配信する配信装置及び方法、このようなコンテンツデータを受信して記録又は再生する受信装置、このような配信装置及び受信装置を備える配信システム、並びにコンピュータをこのような配信装置や受信装置等として機能させるコンピュータプログラムの技術分野に関する。
【背景技術】
【０００２】
ＤＶＤ等の大容量記録媒体が普及しており、家庭においても手軽に映画コンテンツ等を視聴できる環境が整っている。また、ネットワークを介して映画コンテンツ等を取得し、該取得した映画コンテンツをＤＶＤ等に記録して視聴する形態も広まりつつある。【０００３】
この場合、映画コンテンツの著作権を保護するために、配信される映画コンテンツ等は暗号化されているのが一般的である。この暗号化は例えば非特許文献１に記載の暗号化システムに準拠して行われる。より具体的な映画コンテンツ等の配信の手法として、例えば特許文献１等に記載されているように、例えばＤＶＤ−Ｒ／ＲＷ等の記録型ＤＶＤ等に予め暗号化処理に用いられる暗号化キーを記録して販売し、ネットワークを介して暗号化された映画コンテンツを配信する配信システムが提案されている。【０００４】
その他にも、特許文献２及び３に記載されているような各種暗号化の手法（或いは、コンテンツの配信システム）が提案されている。これらの暗号化の手法により配信途中での映画コンテンツ等の不正コピーを防止し、また同時に映画コンテンツの著作権を保護することにもつながる。【０００５】
【特許文献１】特開２００１−３０７４２７号公報
【特許文献２】特開２００１−３５７００１号公報
【特許文献３】特開２０００−３３１４１２号公報
【非特許文献１】「ＤＶＤのコンテンツ保護」、東芝レビュー、Ｖｏｌ．５８、Ｎｏ．６、ｐ２８−ｐ３１、２００３年
【発明の開示】
【発明が解決しようとする課題】
【０００６】
しかしながら、現在の配信システムは、主としてＭＰＥＧ２（Ｍｏｖｉｎｇ  Ｐｉｃｔｕｒｅ  Ｅｘｐｅｒｔｓ  Ｇｒｏｕｐ２）圧縮方式を用いて映画コンテンツ等の圧縮・エンコーディングを行い配信している。このため、例えばより高効率圧縮が可能なＭＰＥＧ４圧縮方式を用いて映画コンテンツ等の圧縮を行なう場合と比較して、伝送効率が悪くなるという問題点を有している。他方で、ＭＰＥＧ４圧縮方式を用いて映画コンテンツ等の圧縮・エンコーディング等を行なうと、伝送効率は良くなる一方で、エンドユーザー側で暗号化しなければならず、従来と同等なセキュアな環境を維持することが困難という問題点を有している。【０００７】
本発明は、例えば上述した従来の問題点に鑑みなされたものであり、例えば秘匿性を確保しながら伝送効率を向上させてコンテンツの配信等を行うことを可能とならしめる情報記録媒体、情報記録装置及び方法、情報配信装置及び方法、並びにコンピュータをこのような情報記録装置や情報配信装置として機能させるコンピュータプログラムを提供することを課題とする。
【課題を解決するための手段】
【０００８】
（配信装置及び方法）
本発明の配信装置は上記課題を解決するために、所定コンテンツデータのうち再生の基準となる第１データを第１の圧縮方式で圧縮する第１圧縮手段と、前記コンテンツデータのうち少なくとも、前記第１データを除く第２データを、前記第１の圧縮方式よりも圧縮効率の高い第２の圧縮方式で圧縮する第２圧縮手段と、前記圧縮された第１データのうち少なくとも一部を暗号化する暗号手段と、前記暗号化された第１データ及び前記圧縮された第２データの夫々を受信装置に配信する配信手段とを備える。【０００９】
本発明の配信装置によれば、第１圧縮手段の動作により、コンテンツデータのうち、再生の基準となる第１データが第１の圧縮方式で圧縮される。このとき、少なくとも第１データが第１の圧縮方式で圧縮されていれば足りるものであり、コンテンツデータ全体が第１の圧縮方式で圧縮されてもよい。或いはコンテンツデータ全体が第１の圧縮方式で圧縮された後に、第１データが選択的に抽出されてもよい。また、第２圧縮手段の動作により、コンテンツデータのうち、第１データを基準として再生される第２データが第２の圧縮方式で圧縮される。このとき、少なくとも第２データが第２の圧縮方式で圧縮されていれば足りるものであり、コンテンツデータ全体が第２の圧縮方式で圧縮されてもよい。或いはその後に、第２データが選択抽出されてもよい。【００１０】
ここに、「第１データ」とは、第２データを再生する際の基準となるデータを意味している。例えば、圧縮方式の一具体例たるＭＰＥＧにおけるＩピクチャが第１データの一具体例に相当する。他方、「第２データ」とは、それ単体では再生することが不可能であり、第１データを基準として（或いは、第１データを参照して）再生することができるデータを意味している。例えば、ＭＰＥＧにおけるＢピクチャが第２データの一具体例に相当する。また、ＭＰＥＧにおけるＰピクチャは、Ｂピクチャの再生の基準となるという点からすれば第１データの一具体例に相当し、他方Ｉピクチャを基準として再生されるという点からすれば第２データの一具体例に相当する。【００１１】
その後、暗号手段の動作により、第１の圧縮方式で圧縮された第１データ（或いは、その一部）が暗号化される。そして、暗号化された第１データと第２の圧縮方式で圧縮された第２データ（或いは、第２の圧縮方式で圧縮されたコンテンツデータ全体）とが、配信手段の動作により、後述する受信装置へ配信される。【００１２】
このように、第１の圧縮方式で圧縮された第１データと第２の圧縮方式で圧縮された第２データとを配信することで、以下のような様々な利益を享受することができる。先ず、配信の際の伝送効率を向上させることができる。即ち、コンテンツデータ全体を第１の圧縮方式で圧縮して配信する態様と比較すると、より高効率圧縮が可能な第２の圧縮方式を使用することが可能なため、コンテンツデータの配信に必要な時間を短縮することができる。【００１３】
そして、コンテンツデータとしての再生に欠かせない第１データを暗号化して配信しているため、コンテンツデータ自体の秘匿性は確実に確保されている。即ち、第２データが仮に第三者により取得されたとしても、第２データ単体では再生することができない。このため、コンテンツデータ自体の秘匿性を確実に確保することができる。そして、第１データさえ暗号化されていればコンテンツデータの秘匿性を確保することができるがゆえに、第２の圧縮方式で圧縮されて配信される第２データを更に暗号化する必要もなくなる。このため、配信装置における動作をより簡略化することができる。【００１４】
仮に、コンテンツデータ全体を例えばＭＰＥＧ４圧縮方式等の第２の圧縮方式で圧縮して配信すれば、単純に伝送効率の向上を図ることはできる。しかしながら、例えばＭＰＥＧ４圧縮方式は、例えばＤＶＤ等の記録媒体へコンテンツデータを記録する際の圧縮方式として採用されていないため、記録動作とは別に、コンテンツデータ全体の圧縮方式の変換処理が必要となる。更に、例えばＭＰＥＧ４圧縮方式で圧縮されたコンテンツデータは、ＭＰＥＧ４圧縮方式の規格上、ＤＶＤ等の記録媒体へのコンテンツデータの記録の際に用いられる暗号化方式を用いて暗号化することができない。このため、記録媒体へコンテンツデータを記録する際には、記録動作とは別に、コンテンツデータ全体の暗号化処理が必要となる。これらの記録動作とは別に必要とされる処理は、処理負荷の増大につながり好ましくない。しかるに、本発明に係る配信装置によれば、これらの処理を行なう必要がなく、処理負荷の減少につながるという大きな利点を有している。それでいて、コンテンツデータ自体の秘匿性を確保することができる。【００１５】
以上の結果、本発明に係る配信装置によれば、秘匿性を確保しながら伝送効率を向上させてコンテンツの配信等を行うことが可能となる。【００１６】
本発明の配信装置の他の態様は、前記第１の圧縮方式は、前記配信されるコンテンツデータが記録媒体へ記録される際の圧縮方式と同一である。【００１７】
この態様によれば、コンテンツデータを配信した後に、例えば後述の受信装置を備える記録装置において、圧縮方式を変換する等の特段の処理を行なう必要がなくなる。従って、例えば記録装置等における記録動作の簡略化を図ることができる。【００１８】
本発明の配信装置の他の態様は、前記暗号化手段は、前記配信されるコンテンツデータが記録媒体へ記録される際の暗号化方式と同一の暗号化方式で前記圧縮された基準データを暗号化する。【００１９】
この態様によれば、コンテンツデータを配信した後に、例えば後述の受信装置を備える記録装置において、暗号化方式を変換する等の特段の処理を行なう必要がなくなる。従って、例えば記録装置等における記録動作の簡略化を図ることができる。【００２０】
また、再生の基準となる第１データをこのような暗号化方式で暗号化するため、他の第２データ等を暗号化する必要性は必ずしもない。即ち、第１データを再生することができなければ、第１データを基準として再生される第２データも当然に再生することができなくなるため、コンテンツデータとしての秘匿性も確保することができる。【００２１】
本発明の配信装置の他の態様は、前記第２圧縮手段は、前記コンテンツデータ全体を圧縮し、前記配信手段は、前記暗号化された第１データ及び前記圧縮されたコンテンツデータの夫々を配信する。【００２２】
この態様によれば、第２圧縮手段は、コンテンツデータより第２データを抽出して圧縮する（或いは、コンテンツデータ全体を圧縮した後に第２データを選択抽出する）必要がなくなる。従って、配信装置における処理負荷を低減することが可能となる。【００２３】
本発明の配信装置の他の態様は、前記暗号化手段は、前記圧縮された第１データの一部を選択的に暗号化する。【００２４】
この態様によれば、必ずしも第１データの全体を暗号化する必要がなくなるため、暗号手段の処理負荷を相対的に低減することが可能となる。そして、その一部の暗号化された第１データが復号化できなければ、第１データを再生することができないため、結果としてコンテンツデータを再生することはできない。このため、コンテンツデータ全体としての秘匿性に変わりはなく、コンテンツデータの著作権は好適に保護されている。【００２５】
本発明の配信装置の他の態様は、前記暗号化手段は、前記圧縮された第２データを暗号化し、前記配信手段は、前記暗号化された第２データを配信する。【００２６】
この態様によれば、第１データに加えて第２データも暗号化して配信される。従って、コンテンツデータ全体としての秘匿性をより向上させることができ、配信されるコンテンツデータの著作権を好適に保護することが可能となる。【００２７】
本発明の配信装置の他の態様は、前記コンテンツデータは、動画データを含んでおり、前記第１の圧縮方式は、ＭＰＥＧ（Ｍｏｖｉｎｇ  Ｐｉｃｔｕｒｅ  Ｅｘｐｅｒｔｓ  Ｇｒｏｕｐ）２であり、前記第２の圧縮方式はＭＰＥＧ４であり、前記第１データは、前記動画データのうち少なくとも基準となる画像（例えば、ＭＰＥＧにおけるＩピクチャ）を含んでおり、前記第２データは前記動画データのうち少なくとも前記基準となる画像以外の画像（例えば、ＭＰＥＧにおけるＢピクチャ）を含んでいる。【００２８】
この態様によれば、例えばＤＶＤ等の記録媒体における標準の圧縮方式であるＭＰＥＧに対応したコンテンツデータを、上述した各種利益を享受しつつも好適に配信することができる。【００２９】
本発明の配信方法は上記課題を解決するために、所定コンテンツデータのうち再生の基準となる第１データを第１の圧縮方式で圧縮する第１圧縮工程と、前記コンテンツデータのうち少なくとも、前記第１データを除く第２データを、前記第１の圧縮方式よりも圧縮効率の高い第２の圧縮方式で圧縮する第２圧縮工程と、前記圧縮された第１データのうち少なくとも一部を暗号化する暗号工程と、前記暗号化された第１データ及び前記圧縮された第２データの夫々を受信装置に配信する配信工程とを備える。【００３０】
本発明の配信方法によれば、上述した本発明の配信装置が有する各種利益を享受することが可能となる。【００３１】
尚、上述した本発明の配信装置が有する各種態様に対応して、本発明の配信方法も各種態様を採ることが可能である。【００３２】
（受信装置及び方法）
本発明の受信装置は上記課題を解決するために、上述した本発明の配信装置（但し、その各種態様を含む）より配信される前記コンテンツデータを受信する受信装置であって、前記配信される、前記暗号化された第１データ及び前記圧縮された第２データの夫々を受信する受信手段と、前記圧縮された第２データの圧縮方式を前記第２の圧縮方式から前記第１の圧縮方式へ変換する変換手段と、前記暗号化された第１データと前記圧縮方式が変換された第２データを合成して、前記コンテンツデータを生成する生成手段とを備える。【００３３】
本発明の受信装置によれば、受信手段の動作により配信されるコンテンツデータが受信される。配信されるコンテンツデータには、暗号化され且つ第１の圧縮方式で圧縮された第１データと、第２の圧縮方式で圧縮された第２データ（或いは、コンテンツデータ全体）が含まれている。このうち、第２の圧縮方式で圧縮された第２データは、変換手段の動作により、第１の圧縮方式で圧縮された第２データに変換される。即ち、配信されてきた第１データの圧縮方式と同様の圧縮方式で圧縮された第２データが生成される。その後、生成手段の動作により、配信されてきた第１データと変換された第２データとを合成することで、元のコンテンツデータ（即ち、第１の圧縮方式で圧縮されたコンテンツデータ）が生成される。【００３４】
以上の結果、本発明に係る配信装置によれば、上述した本発明に係る配信装置より配信されるコンテンツデータを好適に受信し、且つ各種処理を施すことで、元のコンテンツデータとして再生したり、或いは記録媒体へ記録することが可能となる。【００３５】
本発明の受信装置の一の態様は、前記生成されたコンテンツデータを再生する再生手段を更に備える。【００３６】
この態様によれば、再生手段の動作により、ユーザは、配信されたコンテンツデータを好適に視聴することが可能となる。【００３７】
本発明の受信装置の他の態様は、前記生成されたコンテンツデータを記録媒体に記録する記録手段を更に備える。【００３８】
この態様によれば、記録手段の動作により、配信されたコンテンツデータを記録媒体に好適に記録することができる。従って、ユーザは記録媒体を再生装置等にローディングすれば、このコンテンツデータを好適に視聴することが可能となる。【００３９】
上述の如く記録手段を備える受信装置の態様では、前記生成されたコンテンツデータに基づいて、前記記録媒体の記録フォーマットに準拠したイメージファイルデータを生成するイメージ手段を更に備え、前記記録手段は、前記コンテンツデータとして、前記イメージファイルデータを前記記録媒体に記録する。【００４０】
このように構成すれば、イメージ手段の動作により生成されたイメージファイルを記録すれば、記録手段は、特段のデータ変換処理やフォーマット変換処理等を行なうことなく、コンテンツデータを記録媒体へ比較的容易に記録することができる。【００４１】
本発明の受信方法は上記課題を解決するために、上述した本発明の配信装置（但し、その各種態様を含む）より配信される前記コンテンツデータを受信する受信方法であって、前記配信される、前記暗号化された第１データ及び前記圧縮された第２データの夫々を受信する受信工程と、前記圧縮された第２データの圧縮方式を前記第２の圧縮方式から前記第１の圧縮方式へ変換する変換工程と、前記暗号化された第１データと前記圧縮方式が変換された第２データを合成して、前記コンテンツデータを生成する生成工程とを備える。【００４２】
本発明の受信方法によれば、上述した本発明の受信装置が有する各種利益を享受することが可能となる。【００４３】
尚、上述した本発明の受信装置が有する各種態様に対応して、本発明の受信方法も各種態様を採ることが可能である。【００４４】
（配信システム）
本発明の配信システムは上記課題を解決するために、所定のコンテンツデータを配信する配信装置と、前記配信されるコンテンツデータを受信する少なくとも１つの受信装置と、を備える配信システムであって、前記配信装置は、前記所定コンテンツデータのうち再生の基準となる第１データを第１の圧縮方式で圧縮する第１圧縮手段と、前記コンテンツデータのうち少なくとも前記第１データを除く第２データを、前記第１の圧縮方式よりも圧縮効率の高い第２の圧縮方式で圧縮する第２圧縮手段と、前記圧縮された第１データのうち少なくとも一部を暗号化する暗号手段と、前記暗号化された第１データ及び前記圧縮された第２データの夫々を受信装置に配信する配信手段とを備えており、前記受信装置は、前記配信される、前記暗号化された第１データ及び前記圧縮された第２データの夫々を受信する受信手段と、前記圧縮された第２データの圧縮方式を前記第２の圧縮方式から前記第１の圧縮方式へ変換する変換手段と、前記暗号化された第１データと前記圧縮方式が変換された第２データを合成して、前記コンテンツデータを生成する生成手段とを備える。【００４５】
本発明の配信システムによれば、上述した本発明の配信装置及び受信装置の夫々が有する各種利益と同様の利益を享受しつつ、コンテンツデータを配信し、且つ該配信されたコンテンツデータを受信することが可能となる。【００４６】
尚、上述した本発明の配信装置及び受信装置の夫々が有する各種態様に対応して、本発明の配信システムも各種態様を採ることが可能である。【００４７】
（コンピュータプログラム）
本発明の第１コンピュータプログラムは上記課題を解決するために、上述した本発明の配信装置（但し、その各種態様を含む）に備えられたコンピュータを制御する配信制御用のコンピュータプログラムであって、該コンピュータを、前記第１圧縮手段、前記第２圧縮手段、前記暗号手段及び前記配信手段のうち少なくとも一部として機能させる。【００４８】
また、本発明の第２コンピュータプログラムは上記課題を解決するために、上述した本発明の受信装置（但し、その各種態様を含む）に備えられたコンピュータを制御する受信制御用のコンピュータプログラムであって、該コンピュータを、前記受信手段、前記変換手段及び前記生成手段のうち少なくとも一部として機能させる。【００４９】
本発明に係る各コンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の配信装置又は受信装置を比較的簡単に実現できる。【００５０】
尚、上述した本発明の配信装置又は受信装置における各種態様に対応して、本発明の各コンピュータプログラムも各種態様を採ることが可能である。【００５１】
コンピュータ読取可能な媒体内の第１コンピュータプログラム製品は上記課題を解決するために、上述した本発明の配信装置（但し、その各種形態も含む）に備えられたコンピュータにより実行可能なプログラム命令を明白に具現化し、該コンピュータを、前記第１圧縮手段、前記第２圧縮手段、前記暗号手段及び前記配信手段のうち少なくとも一部として機能させる。コンピュータ読取可能な媒体内の第２コンピュータプログラム製品は上記課題を解決するために、上述した本発明の受信装置（但し、その各種形態も含む）に備えられたコンピュータにより実行可能なプログラム命令を明白に具現化し、該コンピュータを、前記受信手段、前記変換手段及び前記生成手段のうち少なくとも一部として機能させる。【００５２】
本発明の各コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の配信装置又は受信装置を比較的容易に実施可能となる。更に具体的には、当該コンピュータプログラム製品は、上述した本発明の配信装置又は受信装置として機能させるコンピュータ読取可能なコード（或いはコンピュータ読取可能な命令）から構成されてよい。【００５３】
本発明のこのような作用及び他の利得は次に説明する実施例から更に明らかにされる。【００５４】
以上説明したように、本発明の配信装置又は方法は、第１圧縮手段、第２圧縮手段、暗号手段及び配信手段、又は第１圧縮工程、第２圧縮工程、変換工程及び配信工程とを備える。従って、秘匿性を確保しながら伝送効率を向上させてコンテンツの配信等を行うことを可能となる。【００５５】
また、本発明の受信装置又は方法は、受信手段、変換手段及び生成手段、又は受信工程、変換工程及び生成工程を備える。従って、本発明に係る配信装置が配信するコンテンツデータを好適に受信し、その後再生したり或いは記録媒体へ記録したりすることができる。
【図面の簡単な説明】
【００５６】
【図１】本発明の配信システムに係る実施例の基本構成を概念的に示すブロック図である。
【図２】本実施例に係る配信システムが備えるコンテンツ配信サーバ（即ち、本発明の配信装置に係る実施例）の基本構成を概念的に示すブロック図である。
【図３】本実施例に係る配信システムが備える情報記録再生装置（即ち、本発明の受信装置に係る実施例）の基本構成を概念的に示すブロック図である。
【図４】本実施例における配信システムの動作全体を概念的に示すシーケンス図である。
【図５】本実施例に係るコンテンツ配信サーバの動作の流れを概念的に示すフローチャートである。
【図６】ＭＰＥＧ２圧縮方式又はＭＰＥＧ４圧縮方式により規定されるコンテンツデータの各ピクチャを含んだ一連のデータ単位を示すデータ構造図である。
【図７】本実施例に係るコンテンツ配信サーバによりＭＰＥＧ２圧縮され、Ｉピクチャ及びＰピクチャが抽出された後のコンテンツデータ、並びにＭＰＥＧ４圧縮されたコンテンツデータを示すデータ構造図である。
【図８】コンテンツデータの暗号化に係る動作の流れを概念的に示すフローチャートである。
【図９】暗号化されたコンテンツのデータ構造を概念的に示すデータ構造図である。
【図１０】本実施例に係る情報記録再生装置の動作の流れを概念的に示すフローチャートである。
【図１１】ＭＰＥＧ２圧縮されたコンテンツデータのうち所定のピクチャが抽出された後のコンテンツデータ、並びにＭＰＥＧ４圧縮されたコンテンツデータのうち所定のピクチャが抽出された後のコンテンツデータを示すデータ構造図である。
【図１２】Ｉピクチャ及びＰピクチャの夫々の一部を選択的に暗号化する態様を概念的に示すデータ構造図である。
【符号の説明】
【００５７】
１００  光ディスク
２００  コンテンツ配信サーバ
２０２  ＭＰＥＧ２圧縮器
２０３  ＭＰＥＧ４圧縮器
２０４  ピクチャ抽出器
２０５  暗号化器
２０６  マルチプレクサ
２０７  外部インターフェース
２５１  ＣＰＵ
３００  情報記録再生装置
３０１  信号記録再生器
３０２  イメージファイル化器
３０３  マルチプレクサ
３０４  ＭＰＥＧ２変換器
３０５  ＭＰＥＧ４復元器
３０６  デマルチプレクサ
３０７  外部インターフェース
３５１  ＣＰＵ
【発明を実施するための最良の形態】
【００５８】
以下、本発明を実施するための最良の形態について実施例毎に順に図面に基づいて説明する。【００５９】
（１）基本構成
初めに、図１から図３を参照して、本発明の配信システムに係る実施例としてのコンテンツ配信システム（即ち、本発明の配信装置及び受信装置の夫々に係る実施例を備えるコンテンツ配信システム）の基本構成について説明を進める。ここに、図１は、本実施例に係る配信システムの基本構成を概念的に示すブロック図であり、図２は、本実施例に係る配信システムが備えるコンテンツ配信サーバ（即ち、本発明の配信装置に係る実施例）の基本構成を概念的に示すブロック図であり、図３は、本実施例に係る配信システムが備える情報記録再生装置（即ち、本発明の受信装置に係る実施例）の基本構成を概念的に示すブロック図である。【００６０】
図１に示すように、コンテンツ配信サーバ２００と複数の情報記録再生装置３００とがネットワーク網４００を介して接続されることで、本実施例に係るコンテンツ配信システム１が構成されている。情報記録再生装置３００からは、コンテンツデータの暗号化に必要なディスクキーが、ネットワーク網４００を介してコンテンツ配信サーバ２００へ送信される。また、コンテンツ配信サーバ２００からは、このディスクキーを用いて暗号化されたコンテンツデータが、ネットワーク網４００を介して情報記録再生装置３００へ配信される。【００６１】
図２に示すように、コンテンツ配信サーバ２００は、コンテンツデータ源２０１、本発明における「第１圧縮手段」の一具体例を構成するＭＰＥＧ２圧縮器２０２、本発明における「第２圧縮手段」の一具体例を構成するＭＰＥＧ４圧縮器２０３、ピクチャ抽出器２０４、本発明における「暗号手段」の一具体例を構成する暗号化器２０５、マルチプレクサ２０６、本発明における「配信手段」の一具体例を構成する外部インターフェース２０７、ＣＰＵ２５１及びメモリ２５２を備える。【００６２】
コンテンツデータ源２０１は、情報記録再生装置３００へ配信される各種コンテンツデータ（例えば、映画やＴＶ番組等の映像コンテンツや音楽コンテンツ等）を格納している。そして、格納されている各種コンテンツデータをＭＰＥＧ２圧縮器２０２やＭＰＥＧ４圧縮気２０３へ出力可能に構成されている。或いは、例えばネットワークを介して放送されたり或いは地上波や衛星波を介して放送される番組を受信し、該受信された番組（即ち、各種コンテンツ）をＭＰＥＧ２圧縮器２０２やＭＰＥＧ４圧縮器２０３へ出力可能に構成されていてもよい。【００６３】
ＭＰＥＧ２圧縮器２０２は、コンテンツデータ源２０１より出力されるコンテンツデータに対してＭＰＥＧ２圧縮を施す。そして、ＭＰＥＧ２圧縮されたコンテンツデータを、ピクチャ抽出器２０４へ出力可能に構成されている。【００６４】
ＭＰＥＧ４圧縮器２０３は、コンテンツデータ源２０１より出力されるコンテンツデータに対して、ＭＰＥＧ２圧縮よりも高効率圧縮（高能率圧縮）なＭＰＥＧ４−ＡＶＣ（Advanced Video Coding）圧縮（以下、“ＭＰＥＧ４圧縮“と称する）を施す。そして、ＭＰＥＧ４圧縮されたコンテンツデータを、マルチプレクサ２０６へ出力可能に構成されている。【００６５】
ピクチャ抽出器２０４は、ＭＰＥＧ２圧縮されたコンテンツデータより、本発明における「第１データ」の一具体例を構成するＩピクチャ（フレーム内符号化画像：Intra-coded Picture）を抽出可能に構成されている。更に、本発明における「第１データ」の一具体例を構成するＰピクチャ（フレーム間順方向予測符号化画像：Predictive-coded Picture）を抽出可能に構成されていてもよい。そして、抽出されたＩピクチャ（更には、Ｐピクチャ）を、暗号化器２０５へ出力可能に構成されている。尚、ＭＰＥＧ２圧縮方式（或いは、ＭＰＥＧ４圧縮方式）については、後に詳述する（図６参照）。【００６６】
暗号化器２０５は、情報記録再生装置３００より送信されるディスクキーを用いて、コンテンツデータ源２０１より出力される各種コンテンツデータの暗号化を行う。本実施例では特に、ピクチャ抽出器２０４より出力されるＩピクチャ（更には、Ｐピクチャ）の暗号化を行なう。この暗号化処理については、後に詳述する（図８及び図９参照）。【００６７】
マルチプレクサ２０６は、暗号化器２０５より出力されるＩピクチャ（更には、Ｐピクチャ）とＭＰＥＧ４圧縮器２０３より出力されるコンテンツデータとを合成して、合成コンテンツデータを生成可能に構成されている。更にマルチプレクサ２０６は、合成コンテンツデータを、外部インターフェース２０７へ出力可能に構成されている。【００６８】
外部インターフェース２０７は、コンテンツ配信サーバ２００からデータを外部へ出力（或いは、配信）したり、或いは外部より入力（或いは、送信）されるデータを取得（或いは、受信）可能に構成されている。例えば、情報記録再生装置３００より送信されるディスクキーを受信したり、合成コンテンツデータを情報記録再生装置３００に対して配信（送信）可能に構成されている。特に、受信されたディスクキーは、暗号化器２０５へ出力され、コンテンツデータの暗号化に用いられる。【００６９】
ＣＰＵ２５１は、コンテンツデータ源２０１、ＭＰＥＧ２圧縮器２０２、ＭＰＥＧ４圧縮器２０３、ピクチャ抽出器２０４、暗号化器２０５、マルチプレクサ２０６、外部インターフェース２０７、メモリ２５２等と、図示しないバスを介して接続され、コンテンツ配信サーバ２００全体の動作を制御する。通常、ＣＰＵ２５１が動作するためのソフトウェアは、メモリ２５２に格納されている。【００７０】
メモリ２５２は、コンテンツデータのバッファ領域や、コンテンツデータの形式等を変換する時の中間バッファとして使用される領域などを備えており、コンテンツ配信サーバ２００におけるデータ処理全般において使用される。また、メモリ２５２はコンテンツ配信サーバ２００としての動作を行うためのプログラムが格納されるＲＯＭ領域と、コンテンツデータに対するデータ処理全般で用いるバッファやプログラム動作に必要な変数が格納されるＲＡＭ領域などから構成される。【００７１】
図３に示すように、情報記録再生装置３００は、本発明における「記録媒体」の一具体例を構成する光ディスク１００、本発明における「記録手段」及び「再生手段」の一具体例を構成する信号記録再生器３０１、本発明における「イメージ手段」の一具体例を構成するイメージファイル化器３０２、本発明における「生成手段」の一具体例を構成するマルチプレクサ３０３、本発明における「変換手段」の一具体例を構成するＭＰＥＧ２変換器３０４、ＭＰＥＧ４復元器３０５、デマルチプレクサ３０６、本発明における「受信手段」の一具体例を構成する外部インターフェース３０７、ＣＰＵ３５１及びメモリ３５２を備える。【００７２】
光ディスク１００は、例えばＤＶＤ等と同じく直径１２ｃｍの円盤状の形状を有しており、その記録面に対しては、光磁気方式や相変化方式等の各種記録方式で、データを複数回又は１回のみ記録可能に構成されている。光ディスク１００は、ディスクキーがあらかじめ記録されており、そのディスクキーに対応した情報等（例えば、メディアＩＤ等）がＮＢＣＡ（Narrow Burst Cutting Area）に記録されている。光ディスク１００は、情報記録再生装置３００が備える図示しないディスクドライブにローディングされることで、各種データを記録したり、或いは該光ディスク１００に記録されているデータを再生することができる。【００７３】
信号記録再生器３０１は、光ディスク１００に対してデータの記録を行なったり、或いは光ディスク１００に記録されているデータの再生を行う。例えば、情報記録再生装置３００が備える図示しない光ピックアップより射出する所定パワーの且つ所定パルス形状のレーザ光を光ディスク１００に照射することで、光ディスク１００にデータを記録する。また、図示しない光ピックアップより射出されるレーザ光を光ディスク１００に照射して得られる反射光より、再生信号（例えば、ＲＦ信号）を取得し、且つデータの再生を行う。再生されたデータは、例えば各種ディスプレイや各種スピーカー等を含む外部出力デバイスへ出力され、ユーザはこれを閲覧・視聴することができる。【００７４】
イメージファイル化器３０２は、マルチプレクサ３０３より出力されるコンテンツデータを、光ディスク１００へそのまま記録可能なフォーマットを有するイメージデータに変換可能に構成されている。【００７５】
マルチプレクサ３０３は、デマルチプレクサ３０６より出力される、ＭＰＥＧ２圧縮され且つ暗号化されたＩピクチャ等と、ＭＰＥＧ２変換器３０４より出力される、ＭＰＥＧ２の圧縮形式に変換されたＢピクチャ等を合成し、ＭＰＥＧ２圧縮され且つ暗号化されたコンテンツデータを生成する。そして、生成されたコンテンツデータをイメージファイル化器３０２へ出力可能に構成されている。【００７６】
ＭＰＥＧ２変換器３０４は、ＭＰＥＧ４圧縮されたコンテンツデータを、ＭＰＥＧ２圧縮方式に変換可能に構成されている。即ち、ＭＰＥＧ４圧縮されたコンテンツデータをＭＰＥＧ２圧縮されたコンテンツデータに変換可能に構成されている。ＭＰＥＧ２の圧縮形式に変換されたコンテンツデータは、デマルチプレクサ３０６へ出力される。【００７７】
本実施例では特に、ＭＰＥＧ２変換器３０４は、コンテンツ配信サーバ２００よりＭＰＥＧ２圧縮され且つ暗号化されて配信されるＩピクチャ等を除くＢピクチャ（フレーム間両方向予測符号化画像：Bidirectionally predictive-coded Picture）等を選択的にＭＰＥＧ２の圧縮形式に変換可能に構成されていることが好ましい。【００７８】
ＭＰＥＧ４復元器３０５は、デマルチプレクサ３０６より出力されるＭＰＥＧ４圧縮されたコンテンツデータを復元可能に構成されている。【００７９】
デマルチプレクサ３０６は、ＭＰＥＧ２圧縮され且つ暗号化されたＩピクチャ（更には、Ｐピクチャ）とＭＰＥＧ４圧縮されたコンテンツデータとを分離可能に構成されている。そして、ＭＰＥＧ２圧縮され且つ暗号化されたＩピクチャ（更には、Ｐピクチャ）を、マルチプレクサ３０３へ出力可能に構成され、ＭＰＥＧ４圧縮されたコンテンツデータを、ＭＰＥＧ４復元器３０５へ出力可能に構成されている。【００８０】
外部インターフェース３０７は、情報記録再生装置３００からデータを外部へ出力（或いは、配信）したり、或いは外部より入力（或いは、送信）されるデータを取得（或いは、受信）可能に構成されている。例えば、ディスクキーをコンテンツ配信サーバ２００へ送信したり、コンテンツ配信サーバ２００より配信されるコンテンツデータを受信可能に構成されている。特に、受信されたコンテンツデータは、デマルチプレクサ３０６へ出力される。【００８１】
ＣＰＵ３５１は、信号記録再生器３０１、イメージファイル化器３０２、マルチプレクサ３０３、ＭＰＥＧ２変換器３０４、ＭＰＥＧ４復元器３０５、デマルチプレクサ３０６、外部インターフェース３０７、メモリ３５２等と、図示しないバスを介して接続され、情報記録再生装置３００全体の動作を制御する。通常、ＣＰＵ３５１が動作するためのソフトウェアは、メモリ３５２に格納されている。【００８２】
メモリ３５２は、コンテンツデータのバッファ領域や、コンテンツデータの形式等を変換する時の中間バッファとして使用される領域などを備えており、情報記録再生装置３００におけるデータ処理全般において使用される。また、メモリ３５２は情報記録再生装置３００としての動作を行うためのプログラムが格納されるＲＯＭ領域と、コンテンツデータに対するデータ処理全般で用いるバッファやプログラム動作に必要な変数が格納されるＲＡＭ領域などから構成される。【００８３】
また、情報記録再生装置３００は、ユーザからの情報記録再生装置３００に対する動作指示受付を行なうための操作部（例えば、操作ボタンや操作パネルやキーボードやマウス等）を備えていてもよい。【００８４】
ネットワーク網４００は、有線或いは無線のいずれの形態を採ってもよいし、その一部を有線とし、他の一部を無線としてもよい。更に、専用回線であってもよいし、一般公衆回線或いは電話回線等であってもよいし、パケット網であってもよいし、回線交換網であってもよい。又、インターネットをネットワーク網４００として採用してもよい。いずれの形態にせよ、情報記録再生装置３００とコンテンツ配信サーバ２００との夫々が相互にデータを送受信可能であるネットワーク回線であれば、本実施例に係るネットワーク網４００として採用可能である。【００８５】
（２）動作説明
続いて、本実施例に係る配信システム１の動作原理について説明を進める。【００８６】
初めに、図４を参照して、本実施例に係る配信システム１の動作の態様について、概略的に説明する。ここに、図４は、本実施例における配信システム１の動作全体を概念的に示すシーケンス図である。【００８７】
図４に示すように、コンテンツデータがコンテンツ配信サーバ２００から情報記録再生装置３００へ配信される前提として、情報記録再生装置３００よりコンテンツ配信サーバ２００に対して、コンテンツ配信要求命令が出力される。コンテンツ配信要求命令には、配信を希望するコンテンツデータのタイトル名等が含まれる。【００８８】
このコンテンツ配信要求命令の送信と共に又はその後に、情報記録再生装置３００は、コンテンツデータの暗号化に用いるディスクキーをコンテンツ配信サーバ２００へ送信する。このとき、ディスクキーを直接コンテンツ配信サーバ２００へ送信してもよいが、該ディスクキーが第三者に不等に入手されないように、例えばＳＳＬ（Secure Socket Layer）等の各種暗号化方式に準拠してディスクキーを暗号化した後にコンテンツ配信サーバ２００へ送信することが好ましい。或いは、例えば光ディスク１００に設けられているＮＢＣＡ（Narrow Burst Cutting Area）に記録されているメディアＩＤ等をコンテンツ配信サーバ２００へ送信し、コンテンツ配信サーバ２００においてこのメディアＩＤを用いて所望のディスクキーを特定するように構成してもよい。【００８９】
その後、コンテンツ配信サーバ２００側でのコンテンツデータの圧縮や暗号化等が行なわれ、コンテンツデータが情報記録再生装置３００へ配信される。配信されたコンテンツデータは情報記録再生装置３００により受信され、後述するように復号処理等の各種処理がなされた後に、光ディスク１００へ記録されたり、或いは再生されたりする。【００９０】
配信されたコンテンツデータを情報記録再生装置３００側で正しく受信できた場合（例えば、光ディスク１００に記録完了できた場合や、正しく視聴できた場合等）には、情報記録再生装置３００からコンテンツ配信サーバ２００に対して、配信正常終了応答が送信される。【００９１】
この配信正常終了応答がコンテンツ配信サーバ２００に受信された時点で、配信されたコンテンツデータについて課金処理がなされ、情報記録再生装置３００のユーザにその旨が通知される。このような課金処理を行なうため、コンテンツ配信要求命令の送信の際には、コンテンツデータの配信を希望するユーザのクレジットカード番号等の送信をコンテンツ配信サーバ２００側から要求することが好ましい。或いは、電子マネー等を用いて好適に課金処理を実行できるように構成することが好ましい。【００９２】
続いて、各装置（コンテンツ配信サーバ２００及び情報記録再生装置３００）の動作について、夫々個別に説明を進める。先ずは、図５を参照して、コンテンツ配信サーバ２００側の動作について説明する。ここに、図５は、本実施例に係るコンテンツ配信サーバ２００の動作の流れを概念的に示すフローチャートである。【００９３】
図５に示すように、コンテンツ配信サーバ２００側では、ＣＰＵ２５１の制御の下に、初めにコンテンツデータが取得される（ステップＳ１０１）。具体的には、情報記録再生装置３００から送信されるコンテンツ配信要求命令に基づいて、ユーザが配信を希望するコンテンツデータがコンテンツデータ源２０１より取得される。【００９４】
続いて、ＭＰＥＧ２圧縮器２０２の動作により、取得されたコンテンツデータがＭＰＥＧ２圧縮される（ステップＳ１０２）。その後、ピクチャ抽出器２０４の動作により、ＭＰＥＧ２圧縮されたコンテンツデータに含まれるＩピクチャ、Ｐピクチャ及びＢピクチャのうち、ＩピクチャとＰピクチャが選択的に抽出される（ステップＳ１０３）。その後、ディスクキーが取得される（ステップＳ１０４）。そして、暗号化器２０５の動作により、情報記録再生装置３００が記録の対象とする光ディスク１００に用いられる暗号化方式と同一の暗号化方式を用いて、ステップＳ１０３において抽出されたＩピクチャ及びＰピクチャに対して暗号化が施される（ステップＳ１０５）。この暗号化の具体的手法については、後に詳述する（図８及び図９参照）。そして、暗号化されたＩピクチャ及びＰピクチャは、マルチプレクサ２０６へ出力される。【００９５】
他方で、コンテンツデータ源２０１より取得されたコンテンツデータは、ＭＰＥＧ４圧縮も施される（ステップＳ１０６）。即ち、ＭＰＥＧ２圧縮されたコンテンツデータとＭＰＥＧ４圧縮されたコンテンツデータとの夫々が、コンテンツ配信サーバ２００内で生成される。そして、ＭＰＥＧ４圧縮されたコンテンツデータは、マルチプレクサ２０６へ出力される。【００９６】
ここでＭＰＥＧ２圧縮又はＭＰＥＧ４圧縮されたコンテンツデータについて、図６及び図７を参照して説明する。ここに、図６は、ＭＰＥＧ２圧縮方式又はＭＰＥＧ４圧縮方式により規定されるコンテンツデータの各ピクチャを含んだ一連のデータ単位を示すデータ構造図であり、図７は、本実施例に係るコンテンツ配信サーバ２００によりＭＰＥＧ２圧縮され、Ｉピクチャ及びＰピクチャが抽出された後のコンテンツデータ、並びにＭＰＥＧ４圧縮されたコンテンツデータを示すデータ構造図である。【００９７】
ＭＰＥＧ２圧縮方式又はＭＰＥＧ４圧縮方式についてその概要を説明すると、一般に、連続したフレーム画像において、一枚のフレーム画像の前後にあるフレーム画像は、互いに類似し相互関係を有している場合が多い。ＭＰＥＧ２圧縮方式又はＭＰＥＧ４圧縮方式はこの点に着目し、数フレームを隔てて転送される複数のフレーム画像に基づき、当該複数のフレーム画像の間に存在する別のフレーム画像を、原画像の動きベクトル等に基づく補間演算にて生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、映像の圧縮記録が可能となるのである。【００９８】
即ち、図６に示すように、ＭＰＥＧ２圧縮又はＭＰＥＧ４圧縮されたコンテンツデータは、符号「Ｉ」で示されるフレーム画像（即ち、Ｉピクチャ）、符号「Ｐ」で示されるフレーム画像（即ち、Ｐピクチャ）及び符号「Ｂ」で示されるフレーム画像（即ち、Ｂピクチャ）を含んでいる。Ｉピクチャは、自らの画像のみで完全なフレーム画像を再生することができるフレーム画像をいう。また、Ｐピクチャは、既に復号化されたＩピクチャ又は他のＰピクチャに基づいて補償再生された予測画像との差を復号化する等して生成する予測画像である。また、Ｂピクチャは、既に復号化されたＩピクチャ又はＰピクチャのみでなく、光ディスク１００等に記録されている時間的に未来のＩピクチャ又はＰピクチャをも予測に用いて再生される予測画像をいう。図６においては、各ピクチャ間の予測関係（補完関係）を矢印で示している。また、実際に画像として表示する際には、図６に示すピクチャから夫々に一のフレーム画像が形成される。【００９９】
また、これらのピクチャが複数個集まることで、ＭＰＥＧ２圧縮方式又はＭＰＥＧ４圧縮方式の規格において定められている単独で再生可能な最小の画像単位であるＧＯＰ（Group Of Picture）が構成されている。本実施例では、１つのＧＯＰは、１５個のピクチャから構成されているが、ＭＰＥＧ２圧縮方式又はＭＰＥＧ４圧縮方式では、１つのＧＯＰを構成するピクチャ数は任意に定めることができる。【０１００】
尚、ＭＰＥＧ４圧縮方式は、ＭＰＥＧ２圧縮方式と比較して、例えば８×８ブロック動き補償機能や直接予測機能やＡＣ／ＤＣ予測機能等の各種機能の実現により高能率符号化が可能となっている。即ち、同一のコンテンツデータに対しては、ＭＰＥＧ４圧縮方式の圧縮率はＭＰＥＧ２の圧縮率よりも高くなる。その他にも、ＭＰＥＧ４圧縮方式では、ＭＰＥＧ２圧縮方式と比較して、エラー耐性能力が強化されており、またマルチメディア化への対応もより進んでいる。他方で、ＭＰＥＧ２圧縮方式は、ＭＰＥＧ４圧縮方式と比較して、より高画質なコンテンツの再生が可能となっており、光ディスク１００の一具体例たるＤＶＤ等へコンテンツデータを記録する際の標準方式として普及している。【０１０１】
また、本実施例で用いられるＭＰＥＧ２圧縮方式又はＭＰＥＧ４圧縮方式においては、夫々のＧＯＰに含まれるデータ量が一定でない可変レート方式を採用している。すなわち、一のＧＯＰに含まれる各ピクチャが、動きの速い動画に対応しており、各ピクチャ間の相関関係が小さい場合には、各ピクチャを構成するためのデータ量が多くなり、従って、一のＧＯＰに含まれるデータ量も多くなる。一方、一のＧＯＰに含まれる各ピクチャが、あまり動きのない動画に対応しており、各ピクチャ間の相関関係が大きい場合には、各ピクチャを構成するためのデータ量も少なくなり、一のＧＯＰに含まれるデータ量も少なくなることとなる。【０１０２】
そして、ピクチャ抽出器２０４は、図７（ａ）に示すように、このようにＭＰＥＧ２圧縮されたコンテンツデータから、Ｉピクチャ及びＰピクチャを選択的に抽出する。そして、この抽出されたＩピクチャ及びＰピクチャに対して暗号化が施され、情報記録再生装置３００へ配信される。他方で、図７（ｂ）に示すように、コンテンツデータに対してはＭＰＥＧ４圧縮も更に施され、このＭＰＥＧ４圧縮されたコンテンツデータが、抽出されたＩピクチャ及びＰピクチャと共に情報記録再生装置３００へ配信される。【０１０３】
また、図５のステップＳ１０５における暗号化について、図８及び図９を参照して説明する。ここに、図８は、コンテンツデータの暗号化に係る動作の流れを概念的に示すフローチャートであり、図９は、暗号化されたコンテンツのデータ構造を概念的に示すデータ構造図である。【０１０４】
図８に示すように、暗号化器２０５は先ずタイトルキーを取得する（ステップＳ３０１）。タイトルキーは、記録しようとしている（即ち、配信しようとしている）コンテンツデータの著作権者（或いは、配信者等）により、規格に応じて自由に設定することが可能である。従って、この設定されたタイトルキーを取得する。或いは、コンテンツ配信サーバ２００側でタイトルキーを設定するのであれば、規格に応じてタイトルキーを設定することで、タイトルキーを取得する。【０１０５】
続いて、暗号化器２０５の動作により、ステップＳ３０１において取得したタイトルキーを用いてコンテンツデータ（具体的には、記録メディアにおけるセクタ単位を最小暗号化単位として、ＭＰＥＧ２圧縮されたコンテンツデータより抽出されたＩピクチャ及びＰピクチャ）の暗号化を行う（ステップＳ３０２）。また、ディスクキーを用いて、コンテンツデータの暗号化に用いたタイトルキーの暗号化を行う（ステップＳ３０３）。このディスクキーは直接情報記録再生装置３００から送られてきたものでも良いし、関連付けられたメディアＩＤ等から判別した結果得られるディスクキーでも良い。尚、ディスクキーは、コンテンツデータ自体の暗号化に直接用いられていないが、コンテンツデータの暗号化に用いられるタイトルキーの暗号化に用いられている。このため、ディスクキーは、実質的にはコンテンツデータの暗号化に用いられるキーであると言える。【０１０６】
このとき、実際に作成される暗号化されたコンテンツデータは、図９に示すように、シンクフレームのシンクブロック（即ち、ヘッダ部分）に暗号化されたタイトルキーが含まれ、シンクフレームの本体部分（即ち、ペイロード部分）に暗号化されたコンテンツデータが含まれるように構成されている。或いは、タイトルキーは、複数のシンクフレームから構成されるセクタのヘッダ部分に記録されるように構成してもよい。このようなシンクフレームの構造を有する暗号化されたコンテンツデータが暗号化処理によって作成され、以下に説明するように情報記録再生装置３００により光ディスク１００に記録される。【０１０７】
再び図５において、マルチプレクサ２０６へ出力された（１）ＭＰＥＧ２圧縮され且つ暗号化されたＩピクチャ及びＰピクチャと（２）ＭＰＥＧ４圧縮されたコンテンツデータは、マルチプレクサ２０６の動作により合成される（ステップＳ１０７）。その後、外部インターフェース２０７を介して情報記録再生装置３００へコンテンツデータとして配信される（ステップＳ１０８）。この配信の際には、ＭＰＥＧ４圧縮されたコンテンツデータが、第三者に閲覧・取得されることで、不正にコンテンツデータが取得或いは再生されるおそれがある。従って、例えばＴｒｉｐｌｅ  ＤＥＳ（Triple Data Encryption Standard）やＳＳＬ等の規格に準拠して、配信されるコンテンツデータ（即ち、ＭＰＥＧ２圧縮され且つ暗号化されたＩピクチャ及びＰピクチャとＭＰＥＧ４圧縮されたコンテンツデータとが合成されてなるデータ）を更に暗号化してから、情報記録再生装置３００へ配信するように構成してもよい。【０１０８】
続いて、図１０を参照して、コンテンツデータが配信される先の情報記録再生装置３００の動作について説明する。ここに、図１０は、本実施例に係る情報記録再生装置３００の動作の流れを概念的に示すフローチャートである。【０１０９】
図１０に示すように、情報記録再生装置３００側では、外部インターフェース３０７を介して、配信されるコンテンツデータが受信される（ステップＳ２０１）。続いて、受信されたコンテンツデータは、デマルチプレクサ３０６へ出力され、ＭＰＥＧ２圧縮され且つ暗号化されたＩピクチャ及びＰピクチャと、ＭＰＥＧ４圧縮されたコンテンツデータとにデマルチプレクス（分離）される（ステップＳ２０２）。ＭＰＥＧ２圧縮され且つ暗号化されたＩピクチャ及びＰピクチャはマルチプレクサ３０３へ出力され、ＭＰＥＧ４圧縮されたコンテンツデータは、ＭＰＥＧ４復元器３０５へ出力される。【０１１０】
ＭＰＥＧ４復元器３０５では、ＣＰＵ３５１の制御の下に、ＭＰＥＧ４圧縮されたコンテンツデータの復元（即ち、デコーディング）が行なわれる（ステップＳ２０３）。復元されたコンテンツデータはＭＰＥＧ２変換器へ出力される。そして、コンテンツデータのＭＰＥＧ２圧縮が施される（ステップＳ２０４）。即ち、この一連の動作により、ＭＰＥＧ４圧縮されたコンテンツデータのＭＰＥＧ２圧縮方式への再エンコーディングが施される。【０１１１】
その後、ＭＰＥＧ２変換器３０４においてＭＰＥＧ２圧縮されたコンテンツデータに含まれるＩピクチャ、Ｐピクチャ及びＢピクチャのうち、Ｂピクチャが選択的に抽出されて、マルチプレクサ３０３へ出力される（ステップＳ２０６）。即ち、コンテンツ配信サーバ２００より、ＭＰＥＧ２圧縮され且つ暗号化された状態で配信されていないＢピクチャが選択的に抽出されて、マルチプレクサ３０３へ出力される。【０１１２】
その後、マルチプレクサ３０３では、ステップＳ２０２においてデマルチプレクサされたＭＰＥＧ２圧縮され且つ暗号化されたＩピクチャ及びＰピクチャと、ステップＳ２０５において抽出されたＭＰＥＧ２圧縮されたＢピクチャとがマルチプレクス（合成）される（ステップＳ２０６）。これにより、ＭＰＥＧ２圧縮されたコンテンツデータが生成される。生成されたコンテンツデータは、イメージファイル化器３０２や信号記録再生器３０１へ出力される。【０１１３】
その後、生成されたコンテンツデータは、信号記録再生器３０１の動作により再生されてもよい（ステップＳ２０９）。【０１１４】
或いは、イメージファイル化器３０２の動作により、コンテンツデータのイメージファイル化が施され（ステップＳ２０７）、光ディスク１００へ記録されてもよい（ステップＳ２０８）。具体的には、イメージファイル化器３０２においては、マルチプレクサ３０３から出力されるコンテンツデータから、光ディスク１００へそのまま記録可能なイメージファイルが生成される。即ち、コンテンツデータの記録や再生等を規定するファイルシステム情報等が作成され、該ファイルシステム情報やセクタヘッダ情報やコンテンツデータ等を含むイメージファイルが生成される。その後、イメージファイル等をＤＶＤフォーマットに従う変調や８−１６変調などを行うことで、コンテンツデータが光ディスク１００へ記録される。また、イメージファイルを生成することに代えて、ＤＶＤ変調がなされた後のデータ、すなわちＥＣＣを付加し、インターリーブし、スクランブルをかけて８−１６変調した後のデータであるＲＡＷデータを生成するように構成してもよい。ＲＡＷデータを生成すれば、そのままのデータで光ディスク１００に記録することができる。【０１１５】
尚、暗号化されたコンテンツデータが適切に光ディスク１００に記録されなければ、ディスクキーを用いて該暗号化されたコンテンツデータを復号化することはできない。このため、暗号化されたコンテンツデータの配信の際には、暗号化されたコンテンツデータの属性（即ち、ＣＣＩ（Copy Control Information））が「Ｎｅｖｅｒ  Ｃｏｐｙ」属性となるように設定してもよい。即ち、暗号化されたコンテンツデータが光ディスク１００に記録される前に一旦ハードディスク等に記録された場合であっても、ハードディスクからはディスクキーを取得することができないため、該暗号化されたコンテンツデータを再生することは元々できない。このため、「Ｃｏｐｙ  Ｎｅｖｅｒ」属性に設定してコンテンツデータの配信をしたとしても問題は生じることはない。【０１１６】
その後、配信されたコンテンツデータの光ディスク１００への記録が正常に終了すれば（或いは、配信されたコンテンツデータの受信が正常に終了すれば）、その旨を示す配信正常終了応答が、コンテンツ配信サーバ２００へ送信され、動作を終了する。この正常に終了した旨を示す配信正常終了応答を受信したコンテンツ配信サーバ２００側では、クレジットカードの決済処理を行い、実際にユーザに対して課金を行ってもよい。【０１１７】
以上説明したように、ＭＰＥＧ２圧縮されたＩピクチャ及びＰピクチャと、ＭＰＥＧ４圧縮されたコンテンツデータを配信することで、以下のような様々な利益を享受することができる。先ず、配信の際の伝送効率を向上させることができる。即ち、コンテンツデータ全体をＭＰＥＧ２圧縮して配信する態様と比較すると、より高効率圧縮が可能なＭＰＥＧ４圧縮方式を使用しているため、コンテンツデータの配信に必要な時間を短縮することができる。このとき、Ｉピクチャ及びＰピクチャは、ＭＰＥＧ２圧縮された配信されているが、Ｉピクチャ及びＰピクチャの総数は、Ｂピクチャの総数と比較して少ない。このため、Ｂピクチャを除く各ピクチャをＭＰＥＧ２圧縮して配信すれば、その伝送効率を向上させることができる。【０１１８】
そして、コンテンツデータとしての再生に欠かせないＩピクチャを暗号化して配信しているため、コンテンツデータ自体の秘匿性は確実に確保されている。即ち、Ｉピクチャ以外のＰピクチャやＢピクチャが仮に第三者により取得されたとしても、Ｐピクチャ単体又はＢピクチャ単体では再生することができない。このため、コンテンツデータ自体の秘匿性を確実に確保することができる。そして、Ｉピクチャさえ暗号化されていればコンテンツデータの秘匿性を確保することができるがゆえに、ＭＰＥＧ４圧縮されて配信されるＢピクチャを更に暗号化して光ディスク１００へ記録する必要もなくなる。或いは、ＭＰＥＧ４圧縮されるＢピクチャを暗号化して配信する必要がなくなる。このため、コンテンツ配信サーバ２００における暗号化動作や情報記録再生装置３００における記録動作等をより簡略化することができる。【０１１９】
また、コンテンツ配信サーバ２００側でのＩピクチャ及びＰピクチャの暗号化に用いられる暗号化方式は、情報記録再生装置３００における光ディスク１００へのコンテンツデータの記録の際に用いられる暗号化方式と同じである。このため、情報記録再生装置３００側で配信されたコンテンツデータの再暗号化（即ち、光ディスク１００へのコンテンツデータの記録の際に用いられる暗号化方式に合わせた暗号化）を行なう必要がなく、記録動作をより簡略化することができる。加えて、情報記録再生装置３００側で、暗号化に関する特段の処理を行なう必要もないため、コンテンツデータの記録互換性或いは再生互換性を担保することができる。【０１２０】
更には、コンテンツ配信サーバ２００側でのＩピクチャ及びＰピクチャの圧縮に用いられるＭＰＥＧ２圧縮方式は、情報記録再生装置３００における光ディスク１００へのコンテンツデータの記録の際に用いられる圧縮方式と同じである。このため、情報記録再生装置３００側で配信されたコンテンツデータの再圧縮化（即ち、他の圧縮方式で圧縮されたコンテンツデータの、ＭＰＥＧ２圧縮方式に合わせた圧縮化）を行なう必要がなく、記録動作をより簡略化することができる。【０１２１】
仮に、コンテンツデータ全体をＭＰＥＧ４圧縮して配信すれば、単純に伝送効率の向上を図ることはできる。しかしながら、ＭＰＥＧ４は、例えばＤＶＤ等の光ディスク１００へコンテンツデータを記録する際の圧縮方式として採用されていないため、記録動作とは別に、コンテンツデータ全体の変換処理が必要となる。更に、ＭＰＥＧ４圧縮されたコンテンツデータは、ＭＰＥＧ４圧縮方式の規格上、光ディスク１００へのコンテンツデータの記録の際に用いられる暗号化方式（例えば、ＣＳＳ（Contents Scrambling System）方式等）を用いて暗号化することができない。このため、光ディスク１００へコンテンツデータを記録する際には、記録動作とは別に、コンテンツデータ全体の暗号化処理が必要となる。これらの記録動作とは別に必要とされる処理は、情報記録再生装置３００にとっては処理負荷の増大につながり好ましくない。しかるに、本実施例に係る配信システム１によれば、これらの処理を情報記録再生装置３００側で行なう必要がなく、情報記録再生装置３００にとっては処理負荷の減少につながるという大きな利点を有している。それでいて、コンテンツデータ自体の秘匿性を確保することができる。【０１２２】
尚、図１１に示すように抽出されたピクチャを配信するように構成してもよい。ここに、図１１は、ＭＰＥＧ２圧縮されたコンテンツデータのうち所定のピクチャが抽出された後のコンテンツデータ、並びにＭＰＥＧ４圧縮されたコンテンツデータのうち所定のピクチャが抽出された後のコンテンツデータを示すデータ構造図である。【０１２３】
図１１（ａ）に示すように、ＭＰＥＧ２圧縮されたコンテンツデータのうちＩピクチャのみを選択的に抽出して暗号化を施すように構成してもよい。このとき、Ｉピクチャ以外のＰピクチャ及びＢピクチャは、図１０のステップＳ２０５において、ＭＰＥＧ４圧縮されて配信されるコンテンツデータより抽出される。【０１２４】
このようにコンテンツデータを配信することで、ＭＰＥＧ２圧縮されて配信されるコンテンツデータのデータサイズを減少させることができるため、伝送効率をより向上させることができる。それでいて、上述したようにＩピクチャを再生できなければコンテンツデータとして再生することができないため、コンテンツデータの秘匿性は確保されている。【０１２５】
また、図１１（ｂ）に示すように、ＭＰＥＧ４圧縮されたコンテンツデータ全体を配信することなく、Ｂピクチャのみを抽出してから配信するように構成してもよい。即ち、コンテンツ配信サーバ２００からは、ＭＰＥＧ２圧縮され且つ暗号化されたＩピクチャ及びＰピクチャとＭＰＥＧ４圧縮されたＢピクチャとが配信されるように構成してもよい。【０１２６】
このようにコンテンツデータを配信することで、仮にネットワーク網４００において配信されるコンテンツデータが例えば上述したＴｒｉｐｌｅ  ＤＥＳやＳＳＬ等の規格に準拠して暗号化されていなくとも、コンテンツデータの秘匿性を確実に確保することができる。そして、コンテンツデータの秘匿性の大幅な向上という点を考慮すると、ＭＰＥＧ４圧縮されたコンテンツデータを配信することに代えて、図１１（ｂ）に示すようにＭＰＥＧ４圧縮されたコンテンツデータのうち少なくともＩピクチャを除く他のピクチャを配信するように構成することが好ましい。要は、Ｉピクチャが暗号化されていれば、高い秘匿性を確保することができる。【０１２７】
また、ＩピクチャやＰピクチャを暗号化する際には、Ｉピクチャ及びＰピクチャの夫々の全体を暗号化しなくとも、図１２に示すように、その一部を選択的に暗号化するように構成してもよい。ここに、図１２は、Ｉピクチャ及びＰピクチャの夫々の一部を選択的に暗号化する態様を概念的に示すデータ構造図である。【０１２８】
図１２（ａ）に示すように、Ｉピクチャ及びＰピクチャの夫々は、１つのピクチャが概ね７００ＫＢ程度のデータサイズを有している。他方、Ｉピクチャ及びＰピクチャを暗号化するときの基本単位となるセクタは、１つが２ＫＢのデータサイズを有している。従って、１つのピクチャは、複数個のセクタに跨って記録される。そして、上述した実施例では、セクタ毎にタイトルキーを用いた暗号化が行なわれ、セクタ毎に（或いは、シンクフレーム毎に）タイトルキーがディスクキーにより暗号化して記録される。尚、Ｉピクチャ及びＰピクチャを暗号化するときの基本単位となるセクタは、光ディスク１００上における記録の単位となるセクタに相当する。【０１２９】
このとき、１つのピクチャが記録される複数個のセクタのうち、一部のセクタに記録されるデータ部分は暗号化されて記録され、他の一部のセクタに記録されるデータ部分は暗号化されずに各ピクチャが記録されてもよい。即ち、図１２（ｂ）に示すように、１つのＩピクチャ又はＰピクチャのうち、網掛け部分として示される暗号化セクタに記録されるデータ部分は暗号化されて記録され、空白部分として示される非暗号化セクタに記録されるデータ部分は暗号化されずに記録されてもよい。【０１３０】
また、本実施例では、圧縮の方式として、ＭＰＥＧ２圧縮方式及びＭＰＥＧ４圧縮方式を用いて説明を進めたがこれに限られることはない。例えば、ＭＰＥＧ４圧縮方式に代えて、例えばＶＣ９圧縮方式を採用してもよいし、或いは他の圧縮方式を採用してもよい。また、光ディスク１００へコンテンツデータを記録する際の圧縮方式がＭＰＥＧ２圧縮方式でなくともよく、各種圧縮方式を採用してもよい。要は、光ディスク１００へコンテンツデータを記録する際の圧縮方式を用いて、コンテンツデータのうちそれ単体で再生することが可能な一のデータを圧縮し且つ暗号化し、コンテンツデータのうち一のデータを除く他のデータ（それ単体で再生することができないデータ）をより高効率圧縮が可能な圧縮方式を用いて圧縮して配信すれば、上述した各種利益を享受することができる。また、このとき、一のデータは、光ディスク１００へコンテンツデータを記録する際の暗号化方式を用いて暗号化されてから配信されることが好ましい。【０１３１】
また、上述の実施例では、情報記録媒体の一例としてディスク１００、並びに受信装置の一例として光ディスク１００に係るレコーダ（プレーヤ）について説明したが、本発明は、光ディスク、並びにそのレコーダ（プレーヤ）に限られるものではなく、他の各種記録媒体並びにそのレコーダ（プレーヤ）にも適用可能である。【０１３２】
本発明は、上述した実施例に限られるものではなく、請求の範囲及び明細書全体から読み取れる発明の要旨或いは思想に反しない範囲で適宜変更可能であり、そのような変更を伴う配信装置及び方法、受信装置及び方法、配信システム、並びに受信制御用及び配信制御用のコンピュータプログラムもまた本発明の技術的範囲に含まれるものである。
【産業上の利用可能性】
【０１３３】
本発明に係る配信装置及び方法、受信装置及び方法、配信システム、並びにコンピュータプログラムは、例えば、例えば映画や音楽等のコンテンツデータを配信する配信装置及び方法、このようなコンテンツデータを受信して記録又は再生する受信装置、このような配信装置及び受信装置を備える配信システムに利用可能である。また、例えば民生用或いは業務用の各種コンピュータ機器に搭載される又は各種コンピュータ機器に接続可能な配信装置及び受信装置を等にも利用可能である。
【図１】
0004749345.tif 000002
【図２】
0004749345.tif 000003
【図３】
0004749345.tif 000004
【図４】
0004749345.tif 000005
【図５】
0004749345.tif 000006
【図６】
0004749345.tif 000007
【図７】
0004749345.tif 000008
【図８】
0004749345.tif 000009
【図９】
0004749345.tif 000010
【図１０】
0004749345.tif 000011
【図１１】
0004749345.tif 000012
【図１２】
0004749345.tif 000013